(57)【特許請求の範囲】
【請求項１】
用紙を用紙搬送経路に沿って搬送する用紙搬送装置において、
前記用紙を搬送方向に搬送する搬送ローラを有して該用紙の一方の面を搬送ガイドする第１の用紙ガイド板と、
前記第１の用紙ガイド板と対向しながら前記搬送方向と直交する方向である引き出し方向に引き出し可能に設けられており、且つ、前記用紙を介して前記搬送ローラを押圧しながら従動する従動ローラを有して該用紙の他方の面を搬送ガイドする第２の用紙ガイド板と、
前記第１の用紙ガイド板及び前記第２の用紙ガイド板から離間した上方に設けられており、前記第２の用紙ガイド板に設けられた嵌合部と嵌合させた状態で、前記第２の用紙ガイド板を前記引き出し方向に引き出したときに、前記従動ローラを前記搬送ローラからニップ解除するように形成された一対の引き出し用ガイド部材と、を備え、
前記第２の用紙ガイド板は、前記引き出し用ガイド部材の外側にまで延出するように設けられている、
ことを特徴とする用紙搬送装置。
【請求項２】
用紙を用紙搬送経路に沿って搬送する用紙搬送装置において、
前記用紙を搬送方向に搬送する搬送ローラを有して該用紙の一方の面を搬送ガイドする第１の用紙ガイド板と、
前記第１の用紙ガイド板と対向しながら前記搬送方向と直交する方向である引き出し方向に引き出し可能に設けられており、且つ、前記用紙を介して前記搬送ローラを押圧しながら従動する従動ローラを有して該用紙の他方の面を搬送ガイドする第２の用紙ガイド板と、
前記第１の用紙ガイド板及び前記第２の用紙ガイド板から離間した上方に設けられており、前記第２の用紙ガイド板に設けられた嵌合部と嵌合させた状態で、前記第２の用紙ガイド板を前記引き出し方向に引き出したときに、前記従動ローラを前記搬送ローラからニップ解除するように形成された一対の引き出し用ガイド部材と、を備え、
前記一対の引き出し用ガイド部材のうち、少なくとも一方の引き出し用ガイド部材が前記第２の用紙ガイド板と重力方向においてオーバーラップしている
ことを特徴とする用紙搬送装置。
【発明の詳細な説明】
【技術分野】
【０００１】
本発明は、用紙を搬送する搬送ローラを有する第１の用紙ガイド板と、搬送ローラに従動する従動ローラを有する第２の用紙ガイド板とを互いに対向させ、且つ、第２の用紙ガイド板を用紙搬送方向と直交する方向である引き出し方向に引き出し可能に設けた用紙搬送装置に関する。
【背景技術】
【０００２】
一般的に、用紙を用紙搬送経路に沿って搬送する用紙搬送装置は、用紙に画像や文字を印刷する印刷装置や、用紙に画像や文字を複写する複写機などの画像形成装置に適用されている。
【０００３】
この種の用紙搬送装置の一例として、本出願人は先に、隣り合う用紙搬送装置間に跨っているジャム用紙を装置内に残さずに取り出すことができる用紙搬送装置を提案している（例えば、特許文献１参照）。
【０００４】
ここで、特許文献１に開示された従来の用紙搬送装置について、図１０を用いて簡略に説明する。
【０００５】
図１０は従来の用紙搬送装置を示した斜視図である。
【０００６】
図１０に示す如く、特許文献１に開示された従来の用紙搬送装置１００は、画像形成装置の一例となるインクジェット印刷装置内の用紙搬送経路に沿って設置されている。そして、従来の用紙搬送装置１００は、用紙の搬送方向の上流側と下流側とに設けた二つの用紙搬送装置（図示せず）間に隣りあわせて設置されている。
【０００７】
この従来の用紙搬送装置１００では、複数の駆動ローラ（図示せず）を取り付けた駆動側用紙ガイド板１１１と、複数の駆動ローラに従動する複数の従動ローラ（図示せず）を箱部１２２ａ，１２３ａ内に取り付けた従動側用紙ガイド板１２１（１２２，１２３）とが互いに対向して設けられている。
【０００８】
上記した駆動側用紙ガイド板１１１は、用紙搬送経路の下側に固定設置されており、且つ、用紙Ｐの搬送方向の上流側は平坦に形成されている一方、用紙搬送方向の下流側は隣り合う一つの用紙搬送装置内の用紙搬送経路に沿うように上方に向って湾曲して形成されている。
【０００９】
また、上記した従動側用紙ガイド板１２１は、用紙搬送経路の上側に駆動側用紙ガイド板１１１と対向し且つ用紙搬送方向と直交する用紙幅方向を２分した分割線ＢＬに沿って２分割された状態で設置されている。
【００１０】
即ち、従動側用紙ガイド板１２１は、用紙幅方向の一方側となる装置１００のフロント側（前面側）に向って引き出し可能に設けた第１分割用紙ガイド板１２２と、用紙幅方向の他方側となる装置１００のリア側（後面側）にその位置を保持したまま上下方向に開閉可能（回動可能）に設けた第２分割用紙ガイド板１２３とに用紙幅方向が２分割されている。
【００１１】
この際、従動側用紙ガイド板１２１の第１分割用紙ガイド板１２２は、駆動側用紙ガイド板１１１の上面１１１ａ上に取り付けた一対の引き出し用ガイド板１３１，１３２にガイドされてこの装置１００のフロント側に引き出し可能に取り付けられている。
【００１２】
そして、第１分割用紙ガイド板１２２の引き出し動作に伴って、複数の駆動ローラと複数の従動ローラとの間でニップ解除されるようになっている。
【００１３】
上記のように構成された従来の用紙搬送装置１００において、用紙Ｐは駆動側用紙ガイド板１１１と従動側用紙ガイド板１２１との間で複数の駆動ローラ及び複数の従動ローラにより挟持搬送されながら用紙搬送方向の上流側から下流側に向って搬送ガイドされている。
【００１４】
この際、駆動側用紙ガイド板１１１と従動側用紙ガイド板１２１との間で用紙ジャムが発生し、不図示のジャム用紙が隣り合う用紙搬送装置間に跨っていても、従動側用紙ガイド板１２１の第１分割用紙ガイド板１２２を装置１００のフロント側に引き出すことで、複数の従動ローラを複数の駆動ローラからニップ解除できるので、ユーザの人手によりジャム用紙の紙片を装置内に残すことなく容易に取り出すことができる。
【先行技術文献】
【特許文献】
【００１５】
【特許文献１】特開２０１５−６３３８１号公報
【発明の概要】
【発明が解決しようとする課題】
【００１６】
ところで、特許文献１に記載の従来の用紙搬送装置の技術的思想を仮に他の画像形成装置にそのまま適用する場合における他例の用紙搬送装置について、図１１を用いて簡略に説明する。
【００１７】
図１１は従来の用紙搬送装置の技術的思想を仮に適用する場合における他例の用紙搬送装置を用紙搬送方向に沿って断面して示している。
【００１８】
図１１に示す如く、他例の用紙搬送装置２００では、この装置２００の上流側に不図示の用紙搬送装置が隣り合って設置されていると共に、装置２００の下流側に他の用紙搬送装置３００が隣り合って設置されている。
【００１９】
この際、他の用紙搬送装置３００内の用紙搬送経路３０１中には用紙Ｐの搬送経路を切り替えるフリッパＦが揺動可能に設けられており、このフリッパＦによって用紙搬送経路３０１を排紙経路ＲＤと反転経路ＲＲとに選択的に切り替えることができる。
【００２０】
一方、他例の用紙搬送装置２００内には、用紙Ｐの搬送方向に間隔を隔て駆動ローラＲｋを複数取り付けた駆動側用紙ガイド板２１１と、複数の駆動ローラＲｋに従動する複数の従動ローラＲｊを複数の箱部２２１ａ内に取り付けた従動側用紙ガイド板２２１とが互いに対向して設けられている。
【００２１】
上記した駆動側用紙ガイド板２１１は、用紙搬送方向の上流側から下流側に向って平坦に形成されている。
【００２２】
上記した従動側用紙ガイド板２２１は、用紙搬送方向と直交する用紙幅方向（紙面に垂直な方向）となる装置２００のフロント側に向って引き出し可能に設けられており、且つ、この従動側用紙ガイド板２２１の引き出し動作時に複数の従動ローラＲｊを複数の駆動ローラＲｋからニップ解除できるようになっている。
【００２３】
上記に伴って、従動側用紙ガイド板２２１をフロント側に向って引き出しガイドする一対の引き出し用ガイド板２３１，２３２が、駆動側用紙ガイド板２１１上で上流側と下流側とに間隔を隔て且つ用紙幅方向と略平行に取り付けられている。
【００２４】
また、駆動側用紙ガイド板２１１の上流側の上方には、隣り合う不図示の用紙搬送装置との間で用紙Ｐを中継搬送ガイドするための用紙搬送中継部材となる用紙抑え部材２４１が駆動側用紙ガイド板２１１に対して僅かな隙間を有して上流側の引き出し用ガイド板２３１よりも更に上流側に固定設置されている。これにより、上流側に設置した不図示の用紙搬送装置から送られる用紙Ｐを装置２００内に取り込むことができるようになっている。
【００２５】
また、駆動側用紙ガイド板２１１及び従動側用紙ガイド板２２１の下流側には、隣り合う他の用紙搬送装置３００との間で用紙Ｐを中継搬送するための用紙搬送中継部材となる中継用の駆動ローラ２５１及び従動ローラ２５２が対となって常にニップ状態で下流側の引き出し用ガイド板２３２よりも更に下流側に固定設置されている。これにより、装置２００内で中継用の駆動ローラ２５１及び従動ローラ２５２を通過した用紙Ｐを隣り合う他の用紙搬送装置３００の用紙搬送経路３０１に送り出すことができるようになっている。
【００２６】
従って、従動側用紙ガイド板２２１は、一対の引き出し用ガイド板２３１，２３２間に形成される用紙搬送方向の横幅部分が装置２００のフロント側に引き出し可能であるが、装置２００内で用紙抑え部材２４１を取り付けた上流側の部位と、中継用の従動ローラ２５２を取り付けた下流側の部位は従動側用紙ガイド板２２１とは別体に設けられているので、両部位は引き出し不能となっている。
【００２７】
上記のように構成した他例の用紙搬送装置２００において、この装置２００内で用紙ジャムが生じたときに、従動側用紙ガイド板２２１のフロント側への引き出し動作に伴ってジャム用紙ＪＰを取り出し易くなっているが、上流側又は下流側で隣り合う用紙搬送装置と用紙搬送装置２００とに跨ったジャム用紙ＪＰを取り出しにくい場合がある。
【００２８】
この場合、一対の引き出し用ガイド板２３１，２３２を駆動側用紙ガイド板２１１上に取り付けたために、上流側の引き出し用ガイド板２３１よりも更に上流側に固定設置された用紙抑え部材２４１、又は、下流側の引き出し用ガイド板２３２よりも更に下流側に固定設置された中継用の従動ローラ２５２に跨ったジャム用紙ＪＰをこの装置２００のフロント側に引き出しても、引き出すと同時に従動ローラ２５２等のニップ解除を行えないからである。
【００２９】
仮に、従動ローラ２５２等のニップを解除させるためには、引き出し用ガイド板２３２を従動ローラ２５２よりも下流側に設置しなければならず、用紙搬送方向において装置２００が大型化してしまう。同様に、引き出し用ガイド板２３１も用紙抑え部材２４１よりも上流側に設置しなければならず、用紙搬送方向において装置２００が大型化してしまう。
【００３０】
そこで、本発明では、用紙搬送方向において装置を大型化することなく、従動ローラを取り付けた用紙ガイド板をフロント側に引き出すと同時に、隣り合う用紙搬送装置間に跨っているジャム用紙を確実且つ容易に取り出すことができる用紙搬送装置を提供することを目的とする。
【課題を解決するための手段】
【００３１】
本発明は上記課題に鑑みてなされたものであり、用紙を用紙搬送経路に沿って搬送する用紙搬送装置において、
前記用紙を搬送方向に搬送する搬送ローラを有して該用紙の一方の面を搬送ガイドする第１の用紙ガイド板と、
前記第１の用紙ガイド板と対向しながら前記搬送方向と直交する方向である引き出し方向に引き出し可能に設けられており、且つ、前記用紙を介して前記搬送ローラを押圧しながら従動する従動ローラを有して該用紙の他方の面を搬送ガイドする第２の用紙ガイド板と、
前記第２の用紙ガイド板の上方に設けられており、前記第２の用紙ガイド板に設けられた嵌合部と嵌合させた状態で、前記第２の用紙ガイド板を前記引き出し方向に引き出したときに、前記従動ローラを前記搬送ローラからニッブ解除するように形成された引き出し用ガイド部材と、
を備えたことを特徴とする用紙搬送装置である。
【発明の効果】
【００３２】
本発明に係る用紙搬送装置によれば、搬送ローラを有する第１の用紙ガイド板と、第１の用紙ガイド板と対向しながら搬送方向と直交する方向である引き出し方向に引き出し可能に設けられており、且つ、従動ローラを有する第２の用紙ガイド板と、第２の用紙ガイド板の上方に設けられており、第２の用紙ガイド板に設けられた嵌合部と嵌合させた状態で、第２の用紙ガイド板を引き出し方向に引き出したときに、従動ローラを搬送ローラからニッブ解除するように形成された引き出し用ガイド部材と、を備えている。
【００３３】
この結果、本発明に係る用紙搬送装置と、隣り合う他の用紙搬送装置との間で用紙を中継搬送する用紙中継搬送部材を、用紙搬送方向に固定設置する必要がないので、用紙搬送方向における装置の大型化を回避しつつ、隣り合う他の用紙搬送装置との間で跨って生じたジャム用紙を確実且つ容易に取り出すことができる。
【図面の簡単な説明】
【００３４】
【図１】本発明に係る用紙搬送装置を適用した画像形成装置の一例となるインクジェット印刷装置の全体構成を示した構成図である。
【図２】本発明に係る用紙搬送装置を示した斜視図である。
【図３】本発明に係る用紙搬送装置において、図２に示した駆動側用紙ガイド板を示した斜視図である。
【図４】本発明に係る用紙搬送装置において、図２に示した従動側用紙ガイド板を示した斜視図である。
【図５】図４に示した従動側用紙ガイド板を示した平面図である。
【図６】（ａ），（ｂ）は図４，図５に示した従動側用紙ガイド板の第１分割用紙ガイド板を示した斜視図，イーイ矢視断面図である。
【図７】図４，図５に示した従動側用紙ガイド板の第２分割用紙ガイド板を示した斜視図である。
【図８】（ａ），（ｂ）は本発明に係る用紙搬送装置の動作を説明するための図である。
【図９】本発明に係る用紙搬送装置を用紙搬送方向に沿って断面して示した断面図である。
【図１０】従来の用紙搬送装置を示した斜視図である。
【図１１】従来の用紙搬送装置の技術的思想を仮に適用する場合における他例の用紙搬送装置を用紙搬送方向に沿って断面して示した断面図である。
【発明を実施するための形態】
【００３５】
以下に本発明に係る用紙搬送装置を実施する形態につき、図１〜図９を参照して詳細に説明する。
【００３６】
本発明に係る用紙搬送装置は、用紙に画像や文字を印刷する印刷装置や、用紙に画像や文字を複写する複写機などの画像形成装置に適用されており、この画像形成装置内で用紙を搬送する用紙搬送経路に沿ってユニット化して設置されている。
【００３７】
なお、以下の説明において、上流側及び下流側は、用紙の搬送方向の上流側及び下流側を意味する。
【００３８】
ここで、本発明に係る用紙搬送装置を説明する前に、この用紙搬送装置を適用した画像形成装置の一例となるインクジェット印刷装置について、図１を用いて説明する。
【００３９】
（インクジェット印刷装置）
図１は本発明に係る用紙搬送装置を適用した画像形成装置の一例となるインクジェット印刷装置を示している。
【００４０】
図１に示す如く、本発明に係る用紙搬送装置を適用したインクジェット印刷装置１０は、インクジェット方式により用紙Ｐ上にパソコンＰＣから入力された画像情報に基づいて片面印刷又は両面印刷可能になっている。
【００４１】
このインクジェット印刷装置１０は、箱状に形成した印刷装置筐体１１内に、用紙搬送経路１２と、操作パネル部１３と、内部給紙部１４及び外部給紙部１７と、ベルトプラテン部２１及びインクジェット印刷部２３と、排紙部２５と、用紙反転部２７と、制御部２８と、本発明に係る用紙搬送装置３０とを備えている。
【００４２】
上記した用紙搬送経路１２は、用紙Ｐを搬送して片面印刷又は両面印刷するために印刷装置筐体１１内で複数に分岐して設けられており、二点鎖線で示す給紙経路ＲＳと、実線で示す通常経路ＲＣと、破線で示す排紙経路ＲＤと、一点鎖線で示す両面印刷時の反転経路ＲＲとからなる。
【００４３】
この際、給紙経路ＲＳと接続するループ状の用紙搬送経路が、インクジェット印刷部２３の周辺に沿って通常経路ＲＣと反転経路ＲＲとを合わせてループ状に形成されている。
【００４４】
尚、用紙搬送経路１２には、用紙Ｐを搬送する複数の用紙搬送ローラ対Ｒや、用紙Ｐの搬送方向を選択的に切り替える複数のフリッパＦが適宜な位置に設置されている。
【００４５】
次に、操作パネル部１３は、印刷装置筐体１１の上方部位に設けられている。この操作パネル部１３には、印刷ジョブを行うための各種の釦や、テンキーや、表示パネルなどが取り付けられている。
【００４６】
次に、内部給紙部１４は、複数の内部給紙トレイ１５が印刷装置筐体１１内の左下方部位に設けられている。この内部給紙部１４では、用紙Ｐの用紙サイズに応じて形成された複数の内部給紙トレイ１５が上下方向に分かれて紙面前方に向かって引き出し自在になっており、各内部給紙トレイ１５上に複数枚の用紙Ｐが用紙サイズごとに積載されている。尚、複数の内部給紙トレイ１５は、それぞれ用紙サイズが検出可能になっている。
【００４７】
そして、ユーザの操作パネル部１３への操作によって一つの内部給紙トレイ１５が選択され、この内部給紙トレイ１５上に積載された複数枚の用紙Ｐのうちで最上位の用紙Ｐが内部給紙ローラ１６によって１枚ずつ給紙された後に、一定の用紙搬送速度で給紙経路ＲＳから通常経路ＲＣに送られてこの通常経路ＲＣの上流側に設けたレジストローラ対２０で用紙Ｐの斜行が補正されている。
【００４８】
次に、外部給紙部１７は、外部給紙トレイ１８が印刷装置筐体１１の左側面下方部位に一部が外部に露出した状態で設けられている。この外部給紙部１７では、外部給紙トレイ１８上に用紙サイズが同一の用紙Ｐが複数枚積載されている。尚、外部給紙トレイ１８も、用紙サイズが検出可能になっている。
【００４９】
そして、外部給紙トレイ１８上に積載された複数枚の用紙Ｐのうちで最上位の用紙Ｐが外部給紙ローラ１９によって１枚ずつ給紙された後に、一定の用紙搬送速度で給紙経路ＲＳから通常経路ＲＣに送られてこの通常経路ＲＣの上流側に設けたレジストローラ対２０で用紙Ｐの斜行が補正されている。
【００５０】
次に、ベルトプラテン部２１及びインクジェット印刷部２３は、印刷装置筐体１１の略中央部位に通常経路ＲＣを挟んで互いに対向して設けられており、且つ、ベルトプラテン部２１の上方にインクジェット印刷部２３が設置されている。
【００５１】
上記したベルトプラテン部２１は、レジストローラ対２０から送られた用紙Ｐを回転自在なエンドレスベルトプラテン２２上にエアー吸引しながら一定の用紙搬送速度で通常経路ＲＣの下流側に送っている。
【００５２】
上記したインクジェット印刷部２３は、エンドレスベルトプラテン２２上に搭載された用紙Ｐに対してシアン（Ｃ），ブラック（Ｋ），マゼンタ（Ｍ），イエロー（Ｙ）の各インクを吐出するライン型インクジェットヘッド２４Ｃ，２４Ｋ，２４Ｍ，２４Ｙを用いて画像情報をカラーで印刷している。
【００５３】
次に、排紙部２５は、印刷装置筐体１１の左側面上方部位に設けられている。この排紙部２５では、インクジェット印刷部２３で印刷された印刷済みの用紙Ｐを排紙経路ＲＤの最下流に設置した排紙トレイ２６の上面２６ａ上に積載している。
【００５４】
次に、用紙反転部２７も、印刷装置筐体１１の左側面上方部位に設けられている。この用紙反転部２７では、片面印刷済みの用紙Ｐがループ状の通常経路ＲＣ，反転経路ＲＲを通って排紙トレイ２６の裏面側に形成したスイッチバック用ガイド２６ｂに進入して、用紙Ｐの搬送方向の先端部が入れ替り、且つ、ループ経路によって用紙Ｐの表裏が反転され、この後、反転された用紙Ｐは再びレジストローラ対２０を経てインクジェット印刷部２３で両面印刷が行われる。
【００５５】
次に、制御部２８は、印刷装置筐体１１内の適宜な場所に設けられており、この内部にＲＯＭ，ＲＡＭ，カウンタ，タイマなどを備えている。
【００５６】
この制御部２８は、インクジェット印刷装置１０を全体的に制御すると共に、下記する本発明に係る用紙搬送装置３０も制御している。
【００５７】
次に、本発明に係る用紙搬送装置３０は、用紙搬送経路１２中にループ状に形成された通常経路ＲＣに沿って複数の用紙搬送ローラ対Ｒを有して設置されており、ここでは通常経路ＲＣから排紙経路ＲＤと反転経路ＲＲとに分岐する分岐点よりも上流側にユニット化して設置されている。
【００５８】
これに伴って、用紙搬送装置３０の上流側には、他の用紙搬送装置（図示せず）が隣り合って設置され、一方、用紙搬送装置３０の下流側には、フリッパＦを有して排紙経路ＲＤと反転経路ＲＲとに切り替え可能な他の用紙搬送装置（図示せず）が隣り合って設置されている。
【００５９】
上記した用紙搬送装置３０は、インクジェット印刷装置１０内で用紙Ｐを用紙搬送経路１２の通常経路ＲＣに沿って搬送するときに、隣り合う用紙搬送装置間に跨って用紙ジャムが生じた場合、ジャム用紙の紙片を装置内に残すことなく、このジャム用紙を装置の外側に確実且つ容易に取り出すことができるように構成されている。
【００６０】
以下、本発明に係る用紙搬送装置３０について詳述する。
【００６１】
（用紙搬送装置）
図２は本発明に係る用紙搬送装置を斜視的に示している。また、図３は図２に示した駆動側用紙ガイド板を斜視的に示している。また、図４は図２に示した従動側用紙ガイド板を斜視的に示している。また、図５は図４に示した従動側用紙ガイド板を平面的に示している。また、図６（ａ），（ｂ）は従動側用紙ガイド板の第１分割用紙ガイド板を示している。また、図７は従動側用紙ガイド板の第２分割用紙ガイド板を示している。
【００６２】
図２及び図３に示す如く、本発明に係る用紙搬送装置３０では、この装置３０のフロント側とリア側とに、前板３１と後板３２とが用紙Ｐの搬送方向と直交する用紙幅方向に間隔を離して互いに対向し、且つ、用紙搬送方向と略平行に垂設されている。
【００６３】
また、前板３１と後板３２との間には、用紙Ｐを搬送駆動する搬送ローラ（以下、駆動ローラと記す）Ｒｋを複数取り付けた第１の用紙ガイド板（以下、駆動側用紙ガイド板と記す）４１が、この前方の両側に取り付けたブラケット４２Ｆと、後方の両側に取り付けたブラケット４２Ｒ（片側のみ図示）とを介して前板３１及び後板３２の下方部位にネジ止めにより取り付けられている。従って、駆動側用紙ガイド板４１は、用紙幅方向の前後が前板３１と後板３２とに固定支持されている。
【００６４】
上記した駆動側用紙ガイド板４１は、板金材を用いて用紙搬送方向に沿って所定の横幅Ｗ１に形成され且つ用紙幅方向に沿って奥行きが最大サイズの用紙Ｐの幅より大きく形成されていると共に、略矩形状の上面４１ａが平坦に形成され、且つ、前後左右の外周辺が剛性を高めるために下方に折り曲げ形成されている。
【００６５】
そして、駆動側用紙ガイド板４１は、図１に示した用紙搬送経路１２の通常経路ＲＣの下側に沿って設けられており、用紙Ｐの一方の面（下面）Ｐａをガイドするようになっている。
【００６６】
また、駆動側用紙ガイド板４１の下面４１ｂ側には、３本の駆動軸４３が用紙搬送方向の上流側と略中央部位と下流側とにそれぞれ間隔を離し、且つ、用紙幅方向と略平行に設けられている。
【００６７】
そして、各駆動軸４３には、駆動ローラＲｋが用紙幅方向に間隔を隔てて２個ずつ固着されて、各駆動ローラＲｋが駆動側用紙ガイド板４１に貫通して形成したローラ逃げ孔４１ｃ内を下面４１ｂ側から上面４１ａ側に僅かに突出して臨んでいる。また、各駆動軸４３は、駆動側用紙ガイド板４１のリア側に設けたギアードモータＧＭと不図示の伝達機構を介して連結されて回転自在になっている。
【００６８】
尚、駆動側用紙ガイド板４１上において、用紙サイズが異なる複数種の用紙Ｐは、左右の側端部Ｐｃ，Ｐｄが位置規制されることなく、用紙Ｐを搬送する際の仮想搬送中心線を中心にして搬送されているものとする。
【００６９】
また、駆動側用紙ガイド板４１のフロント側の略中央部位にロック機構部４４（図３）が取り付けられており、このロック機構部４４は後述する従動側用紙ガイド板５１の第１分割用紙ガイド板５２をロックする機能を有している。
【００７０】
また、駆動側用紙ガイド板４１上で用紙幅方向の略中央部位に指孔４１ｄが貫通して形成されており、この指孔４１ｄは駆動側用紙ガイド板４１上に搭載されたジャム用紙の端部を指で掴むときの逃げ孔として機能している。
【００７１】
また、図２に示す如く、駆動側用紙ガイド板（第１の用紙ガイド板）４１の上方には、駆動ローラＲｋを押圧しながら従動する従動ローラＲｊ｛図６（ｂ）｝を複数取り付けた第２の用紙ガイド板（以下、従動側用紙ガイド板と記す）５１が、装置３０の前後に２分割された状態で駆動側用紙ガイド板４１と対向して設けられている。
【００７２】
この従動側用紙ガイド板５１は、図１に示した用紙搬送経路１２の通常経路ＲＣの上側に沿って設けられており、用紙Ｐの他方の面（上面）Ｐｂをガイドするようになっている。
【００７３】
上記した従動側用紙ガイド板５１は、用紙Ｐの搬送方向と直交する用紙幅方向に沿って２分割して設けた第１分割用紙ガイド板５２と第２分割用紙ガイド板５３とで構成されている。
【００７４】
この際、第１，第２分割用紙ガイド板５２，５３の分割線ＢＬが用紙搬送方向に略沿いながら用紙搬送方向と直交する用紙幅方向の中心線近傍に設定されており、装置３０の奥行き寸法Ｄに対して分割線ＢＬの位置は略Ｄ／２程度に設定されている。
【００７５】
そして、第１分割用紙ガイド板５２は、用紙Ｐの搬送方向と直交する方向である引き出し方向に引き出し可能に設けられており、言い換えると、用紙Ｐの搬送方向と直交する用紙幅方向の一方側となる装置３０のフロント側（前面側）に向って引き出し可能に設けられている。
【００７６】
一方、第２分割用紙ガイド板５３は、第１分割用紙ガイド板５２よりも後方で、用紙幅方向の他方側となる装置３０のリア側（後面側）にその位置を保持したまま上下方向に開閉可能（回動可能）に設けられている。
【００７７】
更に、従動側用紙ガイド板５１の第１分割用紙ガイド板５２のフロント側への移動に伴って、この第１分割用紙ガイド板５２を引き出しガイドするために板状に形成した一対の引き出し用ガイド部材（以下、一対の引き出し用ガイド板と記す）３３，３４が、第１分割用紙ガイド板５２の上方に設けられている。
【００７８】
即ち、一対の引き出し用ガイド部材３３，３４は、駆動側用紙ガイド板４１及び第１分割用紙ガイド板５２に対して離間して設けられている。
【００７９】
また、上記した一対の引き出し用ガイド板３３，３４は、駆動側用紙ガイド板４１の所定の横幅Ｗ１に対して用紙搬送方向の上流側の内側部位と下流側の内側部位とに間隔を隔てて用紙幅方向と略平行に設置されており、且つ、一対の引き出し用ガイド板３３，３４の前後が前板３１と後板３２とに固定支持されている。
【００８０】
この際、一対の引き出し用ガイド板３３，３４には、第１分割用紙ガイド板５２を引き出しガイドする一対のガイド溝３３ａ，３４ａが貫通して用紙幅方向に長尺に形成されている。
【００８１】
これら一対のガイド溝３３ａ，３４ａは、フロント側が駆動側用紙ガイド板４１の上面４１ａに対して高い高さで略平行に形成され、且つ、リア側が駆動側用紙ガイド板４１の上面４１ａに対してフロント側よりも低い高さで略平行に形成されていると共に、中間部位をフロント側からリア側に向って徐々に高さが低くなるように傾斜して形成されている。
【００８２】
そして、一対の引き出し用ガイド板３３，３４に形成した一対のガイド溝３３ａ，３４ａは、第１分割用紙ガイド板５２の上流側及び下流側に設けたピン５４，５５（図６）を嵌合させて、第１分割用紙ガイド板５２を装置３０のフロント側に引き出しガイドしながら複数の従動ローラＲｊを複数の駆動ローラＲｋからニップ解除できる形状に形成されている。
【００８３】
従って、第１分割用紙ガイド板５２の上流側及び下流側に設けたピン５４，５５（図６）は、一対の引き出し用ガイド板３３，３４に形成した一対のガイド溝３３ａ，３４ａに嵌合する嵌合部として機能している。
【００８４】
また、一対の引き出し用ガイド板３３，３４は、このフロント側に取り付けた一対のブラケット３５，３６を介して前板３１の上方部位にネジ止めにより固定支持され、且つ、リア側は後板３２に形成した不図示の取り付け孔に差し込まれて固定支持されている。
【００８５】
そして、従動側用紙ガイド板５１の第１分割用紙ガイド板５２が、一対の引き出し用ガイド板３３，３４にガイドされて前板３１に貫通して大きく開口された矩形孔３１ａ内を進退できるようになっている。
【００８６】
更に、前板３１と後板３２との間で、従動側用紙ガイド板５１の上方の空間は開口されているので、ユーザは前板３１を跨いで人手を挿入させることができるために、従動側用紙ガイド板５１の第１分割用紙ガイド板５２をフロント側に引き出したときに駆動側用紙ガイド板４１上に搭載されたジャム用紙を人手で確実且つ容易に取り出すことができるようになっている。
【００８７】
上記により、一対の引き出し用ガイド板３３，３４は、駆動側用紙ガイド板４１の上面４１ａ上に取り付けられていないので、先に図１１を用いて説明したような隣り合う用紙搬送装置に対して用紙中継搬送部材となる用紙抑え部材２４１及び従動ローラ２５２を用紙搬送方向に固定設置せずに、後述するように、第１分割用紙ガイド板５２上に用紙Ｐを中継搬送する部材を引き出し可能に設けることができる。
【００８８】
次に、図４及び図５に示す如く、従動側用紙ガイド板５１を構成する第１，第２分割用紙ガイド板５２，５３は、共に樹脂材を用いて各上面５２ａ，５３ａ側の内部が複数の補強リブにより枠組みされて剛性を有する枠体にそれぞれ形成されている。
【００８９】
また、第１，第２分割用紙ガイド板５２，５３の各下面５２ｂ，（５３ｂ…図７）は、駆動側用紙ガイド板４１（図３）の上面４１ａと対向してこの上面４１ａの形状に合わせて平坦に形成されている。
【００９０】
ここで、図５及び図６（ａ）に示す如く、駆動側用紙ガイド板４１の上方で装置３０（図１，図２）のフロント側に設置される従動側用紙ガイド板５１の第１分割用紙ガイド板５２は、上流側及び下流側の外側面５２ｃ，５２ｄ間が駆動側用紙ガイド板４１の所定の横幅Ｗ１と略同じ横幅Ｗ１で幅広く形成されている。
【００９１】
また、第１分割用紙ガイド板５２は、上流側の外側面５２ｃに沿って分割線ＢＬよりもリア側に向かって細い幅Ｗ２で翼部５２ｅが長尺に形成されている。この翼部５２ｅは、駆動側用紙ガイド板４１との間で上流側から送られた用紙Ｐを抑えながら中継搬送ガイドする機能を有している。
【００９２】
また、第１分割用紙ガイド板５２には、第２分割用紙ガイド板５３を収納するための矩形状収納部５２ｆが、分割線ＢＬに沿った内側後面５２ｇと、翼部５２ｅの後端５２ｅ１の延長線と、翼部５２ｅの内側面５２ｅ２と、下流側の外側面５２ｄの延長線とで矩形状に囲まれた内部に形成されている。この際、矩形状収納部５２ｆの用紙搬送方向の幅は、後述する第２分割用紙ガイド板５３の横幅Ｗ４（図７）より僅かに大きく設定されている。
【００９３】
また、第１分割用紙ガイド板５２は、上流側の外側面５２ｃに沿い且つ翼部５２ｅ上に連接してガイド用翼部５２ｈが分割線ＢＬよりもリア側に向かって細い幅Ｗ３で高さを持って長尺に形成されている。
【００９４】
また、第１分割用紙ガイド板５２は、上流側のガイド用翼部５２ｈと対向して下流側のガイド用翼部５２ｉが、下流側の外側面５２ｄよりも少し内側の上面５２ａに形成した補強リブ５２ｒ上に連接し且つ分割線ＢＬよりもリア側に形成した矩形状収納部５２ｆ内に突出した状態で細い幅Ｗ３で高さを持って長尺に形成されている。
【００９５】
そして、上流側のガイド用翼部５２ｈ及び下流側のガイド用翼部５２ｉは、互い対称で対になっており、一対のガイド用翼部５２ｈ，５２ｉは共にフロント側からリア側に向って徐々に高さが高く形成されている。
【００９６】
この際、一対のガイド用翼部５２ｈ，５２ｉは、第１分割用紙ガイド板５２に一体形成する方法と、第１分割用紙ガイド板５２とは別体に形成した後にネジなどを用いて第１分割用紙ガイド板５２に一体的に取り付ける方法のどちらの方法を用いても良い。
【００９７】
また、一対のガイド用翼部５２ｈ，５２ｉのリア側には、小径ピン５４と大径ピン５５とが互いに内側に向かってそれぞれ固着されている。
【００９８】
上記に伴って、一対のガイド用翼部５２ｈ，５２ｉの内側面５２ｈ１，５２ｉ１と対向して一対の引き出し用ガイド板３３，３４（図２，図３）を設置したときに、一対のガイド用翼部５２ｈ，５２ｉに固着した各小径ピン５４及び各大径ピン５５を一対の引き出し用ガイド板３３，３４に形成した一対のガイド溝３３ａ，３４ａ内に引き出し自在に嵌合させている。
【００９９】
更に、第１分割用紙ガイド板５２の分割線ＢＬに沿って形成した内側後面５２ｇの上流側及び下流側には、合計で２箇所の押圧片５２ｊが矩形状収納部５２ｆ内に向かって突出形成されている。
【０１００】
そして、２箇所の押圧片５２ｊは、後述するように第２分割用紙ガイド板５３（図７）と嵌合して位置決めされながら第２分割用紙ガイド板５３の前面５３ｅ（図７）側を駆動側用紙ガイド板４１の上面４１ａ（図３）側に押し付ける機能を有している。
【０１０１】
また、第１分割用紙ガイド板５２の上面５２ａ側には、分割線ＢＬの近傍で用紙搬送方向の上流側と略中央部位と下流側とに箱部５２ｋが上方を閉蓋して合計で３箇所突出形成されており、各箱部５２ｋ内に従動ローラＲｊが駆動ローラＲｋ（図３）と対向するように収納されている。
【０１０２】
即ち、図６（ｂ）に断面して示す如く、第１分割用紙ガイド板５２に形成した箱部５２ｋ内には、従動ローラＲｊが用紙幅方向に沿って形成した短尺なローラ軸ＳＡに固着され、且つ、ローラ軸ＳＡの両端側に軸受ＢＥがそれぞれ嵌め込まれている。
【０１０３】
また、箱部５２ｋ内で用紙幅方向の両側には、軸受支持用有底孔５２ｋ１がそれぞれ形成されており、これらの軸受支持用有底孔５２ｋ１内にローラ軸ＳＡの両端側に嵌め込んだ軸受ＢＥが上下方向に遊嵌されている。
【０１０４】
また、箱部５２ｋの天面内部５２ｋ２と、両側の軸受ＢＥとの間に圧縮バネＣＳがそれぞれ掛止されている。
【０１０５】
そして、従動側用紙ガイド板５１の第１分割用紙ガイド板５２が駆動側用紙ガイド板４１にロックされている時に、箱部５２ｋ内の両側の圧縮バネＣＳの付勢力により従動ローラＲｊが用紙Ｐを介して駆動ローラＲｋを押圧しているので、駆動ローラＲｋ及び従動ローラＲｊは用紙Ｐを搬送方向にニップしながら搬送する用紙搬送手段となっている。
【０１０６】
図６（ａ）に戻り、第１分割用紙ガイド板５２の前面５２ｍの用紙搬送方向の略中央部位には、取っ手５２ｎがフロント側に向かって突出形成されており、この取っ手５２ｎをユーザがフロント側に引くことにより第１分割用紙ガイド板５２がフロント側に引き出し可能になっている。
【０１０７】
更に、第１分割用紙ガイド板５２の前面５２ｍ側に設けた取っ手５２ｎの後方部位には、ロック機構部５６が前述した駆動側用紙ガイド板４１上に設けたロック機構部４４（図３）と対応して取り付けられている。
【０１０８】
次に、図５及び図７に示す如く、駆動側用紙ガイド板４１の上方で装置３０（図１，図２）内のリア側に設置される従動側用紙ガイド板５１の第２分割用紙ガイド板５３は、前述したように、第１分割用紙ガイド板５２の矩形状収納部５２ｆ（図５，図６）内に収納されるので第１分割用紙ガイド板５２よりも小型に形成されている。
【０１０９】
この際、第２分割用紙ガイド板５３の上流側及び下流側の各外側面５３ｃ，５３ｄ間の横幅Ｗ４は、第１分割用紙ガイド板５２の矩形状収納部５２ｆ内に収納可能なサイズに設定されている。
【０１１０】
そして、第２分割用紙ガイド板５３も、第１分割用紙ガイド板５２と同様に、駆動側用紙ガイド板４１（図２，図３）の上面４１ａと対向してこの下面５３ｂが上流側から下流側に向かって平坦に形成されている。
【０１１１】
また、第２分割用紙ガイド板５３の前面５３ｅの内側部位の上流側と下流側には、合計で２箇所の凹部５３ｆが前方及び上方を開口して凹状に形成されている。
【０１１２】
そして、第２分割用紙ガイド板５３に形成した２箇所の凹部５３ｆ内に第１分割用紙ガイド板５２に形成した２箇所の押圧片５２ｊ（図５，図６）が左右方向を位置決めされて挿脱自在に嵌合し、且つ、２箇所の押圧片５２ｊで第２分割用紙ガイド板５３の前面５３ｅ側を駆動側用紙ガイド板４１（図２，図３）側に押圧している。
【０１１３】
また、第２分割用紙ガイド板５３の上面５３ａ側にも、用紙搬送方向の上流側と略中央部位と下流側とに箱部５３ｇが上方を閉蓋して３箇所突出形成されており、各箱部５３ｇ内も先に図６（ｂ）を用いて説明したと同様に従動ローラＲｊが収納されている。
【０１１４】
また、第２分割用紙ガイド板５３のリア側には、２箇所の軸支持部５３ｈが用紙搬送方向に間隔を離して形成されており、且つ、２箇所の軸支持部５３ｈに回動軸５７がそれぞれ上流側に向って横設されている。
【０１１５】
そして、第２分割用紙ガイド板５３のリア側に横設した２本の回動軸５７を駆動側用紙ガイド板４１（図２，図３）のリア側に取り付けた２箇所のブラケット（図示せず）に軸支させることで、第２分割用紙ガイド板５３が上下方向に開閉可能（回動可能）になっている。
【０１１６】
次に、上記のように構成した本発明に係る用紙搬送装置３０の動作について、図８を用いて説明する。
【０１１７】
図８（ａ），（ｂ）は本発明に係る用紙搬送装置の動作を示している。
【０１１８】
尚、図８（ａ），（ｂ）は駆動側用紙ガイド板及び従動側用紙ガイド板の上流側についてのみ説明し、上流側と対称な下流側の説明を省略する。
【０１１９】
まず、図８（ａ）は、用紙搬送装置３０内で駆動側用紙ガイド板４１の上方に従動側用紙ガイド板５１の第１，第２分割用紙ガイド板５２，５３が収納されている収納状態を示している。
【０１２０】
ここで、用紙搬送装置３０内で駆動側用紙ガイド板４１及び上流側の引き出し用ガイド板３３が前板３１と後板３２とに取り付けられている状態で、駆動側用紙ガイド板４１と対向して従動側用紙ガイド板５１の第１分割用紙ガイド板５２がフロント側に収納され、且つ、従動側用紙ガイド板５１の第２分割用紙ガイド板５３がリア側に収納されている。
【０１２１】
この際、第１分割用紙ガイド板５２のガイド用翼部５２ｈに固着させた小径ピン５４及び大径ピン５５は上流側の引き出し用ガイド板３３のガイド溝３３ａのうちで駆動側用紙ガイド板４１に対して低い高さ位置のリア側部位に嵌合しているので、第１分割用紙ガイド板５２が高さが低い収納位置に至っている。
【０１２２】
また、第１分割用紙ガイド板５２の前面５２ｍに形成した取っ手５２ｎが前板３１に形成した矩形孔３１ａよりも前方に突出している。
【０１２３】
そして、第１分割用紙ガイド板５２の取っ手５２ｎの後方部位に設けたロック機構部５６（図６）が駆動側用紙ガイド板４１の前方部位に設けたロック機構部４４（図３）にロックされている。
【０１２４】
従って、第１分割用紙ガイド板５２がロックされている時に、用紙搬送装置３０内で用紙Ｐを複数の駆動ローラＲｋと複数の従動ローラＲｊとで挟持搬送可能（通紙可能）な状態に至っている。
【０１２５】
次に、図８（ｂ）は、用紙搬送装置３０内から従動側用紙ガイド板５１の第１分割用紙ガイド板５２を引き出し方向となるフロント側に引き出した引き出し完了状態を示している。
【０１２６】
ここで、用紙搬送装置３０内の駆動側用紙ガイド板４１と従動側用紙ガイド板５１との間で用紙ジャムが生じたときに、ユーザは従動側用紙ガイド板５１の第１分割用紙ガイド板５２を駆動側用紙ガイド板４１からロックを解除して、第１分割用紙ガイド板５２に形成した取っ手５２ｎを掴みながら第１分割用紙ガイド板５２をフロント側に向かって引き出しを開始する。
【０１２７】
そして、第１分割用紙ガイド板５２のフロント側への引き出し動作に伴って、第１分割用紙ガイド板５２のガイド用翼部５２ｈに固着させた小径ピン５４及び大径ピン５５は、上流側の引き出し用ガイド板３３のガイド溝３３ａのうちで駆動側用紙ガイド板４１に対して高い高さ位置のフロント側部位に移動して、第１分割用紙ガイド板５２が収納位置よりも高さが高い引き出し完了位置に至る。
【０１２８】
これに伴って、第１分割用紙ガイド板５２側の従動ローラＲｊが駆動側用紙ガイド板４１側の駆動ローラＲｋから離間してジャム用紙ＪＰへのニップが解除されるので、ユーザは前板３１を跨いで上方から人手によりジャム用紙ＪＰを装置３０の外に除去することができる。
【０１２９】
この際、従動側用紙ガイド板５１の第２分割用紙ガイド板５３は回動軸５７を中心に上下方向に開閉可能になっているので、第１分割用紙ガイド板５２を装置３０のフロント側に引き出したときに、ジャム用紙ＪＰが駆動側用紙ガイド板４１と第２分割用紙ガイド板５３との間に滞留している場合にユーザは必要に応じて第２分割用紙ガイド板５３を開くことができる。
【０１３０】
次に、本発明に係る用紙搬送装置３０内で一対の引き出し用ガイド板３３，３４を前板３１と後板３２とに取り付けた理由について、図９を用いて説明する。
【０１３１】
図９は本発明に係る用紙搬送装置を用紙搬送方向に沿って断面して示している。
【０１３２】
図９に示す如く、本発明に係る用紙搬送装置３０では、用紙搬送方向の上流側に不図示の用紙搬送装置が隣り合って設置されていると共に、用紙搬送方向の下流側に先に図１１を用いて説明した他の用紙搬送装置３００が隣り合って設置されている。
【０１３３】
そして、他の用紙搬送装置３００内に形成した用紙搬送経路３０１中には、用紙Ｐの搬送方向を切り替えるフリッパＦが揺動可能に設置されており、フリッパＦによって用紙搬送経路３０１を排紙経路ＲＤと反転経路ＲＲとに選択的に切り替えることができるようになっている。この際、上記した用紙搬送経路３０１は、図１に示したインクジェット印刷装置１０内に形成した用紙搬送経路１２中の排紙経路ＲＤと反転経路ＲＲと対応している。
【０１３４】
一方、本発明に係る用紙搬送装置３０では、従動側用紙ガイド板５１の第１分割用紙ガイド板５２をフロント側に向って引き出しガイドする一対の引き出し用ガイド板３３，３４を、駆動側用紙ガイド板４１上に取り付けることなく、従動側用紙ガイド板５１の第１分割用紙ガイド板５２の上方で駆動側用紙ガイド板４１及び従動側用紙ガイド板５１とは離間して、前板３１と後板３２とに取り付けている。これにより、従動側用紙ガイド板５１の第１分割用紙ガイド板５２は、用紙搬送方向の所定の横幅Ｗ１を先に図１１を用いて説明した他例の用紙搬送装置２００内に設けた従動側用紙ガイド板２２１よりも幅広く形成できる。
【０１３５】
従って、第１分割用紙ガイド板５２を駆動側用紙ガイド板の所定の横幅Ｗ１と略同じ横幅Ｗ１に亘ってフロント側に引き出すことができる。
【０１３６】
これにより、従動側用紙ガイド板５１の第１分割用紙ガイド板５２上で上流側の引き出し用ガイド板３３よりも更に上流側に、隣り合う不図示の用紙搬送装置との間で用紙Ｐを中継搬送ガイドする用紙押さえ用の翼部５２ｅを引き出し可能に一体的に形成できる。
【０１３７】
また、第１分割用紙ガイド板５２上で下流側の引き出し用ガイド板３４よりも更に下流側に、隣り合う他の用紙搬送装置３００との間で用紙Ｐを中継搬送するための用紙搬送中継部材となる中継用の従動ローラＲｊを引き出し可能に一体的に取り付けることができる。
【０１３８】
この際、従動側用紙ガイド板５１の第１分割用紙ガイド板５２が引き出し完了位置に至ったときに、第１分割用紙ガイド板５２は駆動側用紙ガイド板４１に対して収納位置よりも高さ高くなることは先に図８（ｂ）を用いて説明した通りである。
【０１３９】
従って、先に図１１を用いて説明した他例の用紙搬送装置２００における上流側の場合とは異なって、上流側から送られた用紙Ｐが駆動側用紙ガイド板４１と、第１分割用紙ガイド板５２上で上流側の引き出し用ガイド板３３よりも外側に形成した用紙抑え用の翼部５２ｅとの間を通過する際に用紙ジャムが生じたときに、駆動側用紙ガイド板４１と翼部５２ｅとの間の隙間が第１分割用紙ガイド板５２のフロント側への移動に伴って広がるので、上流側で隣り合う不図示の用紙搬送装置間に跨っているジャム用紙を確実且つ容易に取り出すことができ、用紙Ｐの搬送性能を維持できる。
【０１４０】
一方、先に図１１を用いて説明した他例の用紙搬送装置２００における下流側の場合とは異なって、第１分割用紙ガイド板５２上で下流側の引き出し用ガイド板３４よりも外側に取り付けた中継用の従動ローラＲｊと、この中継用の従動ローラＲｊを駆動する駆動ローラＲｋとの間で用紙ジャムが生じたときに、第１分割用紙ガイド板５２のフロント側への移動に伴って中継用の従動ローラＲｊが駆動ローラＲｋからニップ解除されるので、下流側で隣り合う他の用紙搬送装置３００間に跨っているジャム用紙ＪＰを確実且つ容易に取り出すことができ、用紙Ｐの搬送性能を維持できる。
【０１４１】
この結果、本発明に係る用紙搬送装置３０と、隣り合う他の用紙搬送装置との間で用紙Ｐを中継搬送する用紙中継搬送部材を、用紙搬送方向に固定設置する必要がないので、用紙搬送方向における装置３０の大型化を回避しつつ、隣り合う他の用紙搬送装置との間で跨って生じたジャム用紙ＪＰを確実且つ容易に取り出すことができる。
【０１４２】
更に、駆動側用紙ガイド板４１及び一対の引き出し用ガイド板３３，３４は、共に用紙幅方向の前後が装置３０のフロント側に配置した前板３１及び装置３０のリア側に配置した後板３２に固定支持されているので、駆動側用紙ガイド板４１及び一対の引き出し用ガイド板３３，３４の取り付け構造を簡素化できる。
【０１４３】
尚、以上詳述した実施形態では、駆動側用紙ガイド板（第１の用紙ガイド板）４１と対向する従動側用紙ガイド板（第２の用紙ガイド板）５１を第１，第２分割用紙ガイド板５２，５３に用紙搬送方向に２分割することで、従動側用紙ガイド板５１の第１分割用紙ガイド板５２を装置３０のフロント側に引き出したときの引き出し面積を狭く抑えることができるが、これに限ることなく、駆動側用紙ガイド板４１と対向する従動側用紙ガイド板５１を用紙幅方向に２分割しないで第１，第２分割用紙ガイド板の機能を備えて一体的に形成することも可能である。
【０１４４】
この場合でも、一体形成した不図示の従動側用紙ガイド板をフロント側に向かって引き出しガイドする一対の引き出し用ガイド板３３，３４を、駆動側用紙ガイド板４１上に取り付けることなく、一体形成した不図示の従動側用紙ガイド板の上方で駆動側用紙ガイド板４１及び一体形成した不図示の従動側用紙ガイド板とは離間して設置すれば、一体形成した従動側用紙ガイド板の引き出し動作に伴って、隣り合う用紙搬送装置間で生じるジャム用紙を確実且つ容易に取り出すことができる。
【０１４５】
また、引き出し用ガイド板３３，３４は、第１分割用紙ガイド板５２の上流側及び下流側に設けたピン５４，５５（図６）を嵌合させて、第１分割用紙ガイド板５２を装置３０のフロント側に引き出しガイドしながら複数の従動ローラＲｊを複数の駆動ローラＲｋからニップ解除できる形状に形成されているが、ピンに限らず、引き出し用ガイド板３３，３４に沿って摺動できる摺動部材であっても良い。
【０１４６】
また、引き出し用ガイド板３３，３４は、必ずしも二つ設ける必要はなく、従動側用紙ガイド板の用紙搬送方向における中央付近に一つだけ設けられていてもよい。
【符号の説明】
【０１４７】
１０…インクジェット印刷装置、１１…印刷装置筐体、１２…用紙搬送経路、
２３…インクジェット印刷部、２８…制御部、
３０…用紙搬送装置、
３１…前板、３１ａ…矩形孔、３２…後板、
３３，３４…一対の引き出し用ガイド部材（一対の引き出し用ガイド板）、
３３ａ，３４ａ…ガイド溝、３５，３６……ブラケット、
４１…第１の用紙ガイド板（駆動側用紙ガイド板）、
４１ａ…上面、４１ｂ…下面、４１ｃ…ローラ逃げ孔、４１ｄ…指孔、
４２Ｆ，４２Ｒ…ブラケット、４３…駆動軸、４４…ロック機構部、
５１…第２の用紙ガイド板（従動側用紙ガイド板）、
５２…第１分割用紙ガイド板、
５２ａ…上面、５２ｂ…下面、５２ｃ…上流側の外側面、５２ｄ…下流側の外側面、
５２ｅ…翼部、５２ｆ…矩形状収納部、５２ｇ…内側後面、
５２ｈ，５２ｉ…ガイド用翼部、５２ｊ…押圧片、５２ｋ…箱部、５２ｍ…前面、
５２ｎ…取っ手、５２ｒ…補強リブ、
５３…第２分割用紙ガイド板、
５３ａ…上面、５３ｂ…下面、５３ｃ…上流側の外側面、５３ｄ…下流側の外側面、
５３ｅ…前面、５３ｆ…凹部、５３ｇ…箱部、５３ｈ…軸支持部
５４…小径ピン、５５…大径ピン、５６…ロック機構部、５７…回動軸、
ＢＬ…分割線、Ｐ…用紙、Ｐａ…一方の面（下面）、Ｐｂ…他方の面（上面）、
Ｐｃ…左側端部、Ｐｄ…右側端部、ＪＰ…ジャム用紙、Ｆ…フリッパ、
Ｒ…用紙搬送ローラ対、Ｒｋ…搬送ローラ（駆動ローラ）、Ｒｊ…従動ローラ。
【図１】
0006612527.tif 000002
【図２】
0006612527.tif 000003
【図３】
0006612527.tif 000004
【図４】
0006612527.tif 000005
【図５】
0006612527.tif 000006
【図６】
0006612527.tif 000007
【図７】
0006612527.tif 000008
【図８】
0006612527.tif 000009
【図９】
0006612527.tif 000010
【図１０】
0006612527.tif 000011
【図１１】
0006612527.tif 000012